(57)【要約】【課題】ウォーターベッドとエアベッドの特性を活かし、使用水量を提言できる冷暖両用装置を提供すること。【解決手段】第１の空気ノズルと第１の水栓とを具備した主体と、前記主体内に位置し、気体を充填するための前記第１の空気ノズルが連接される第１の収納室と、前記主体内に位置し、前記主体の表面に近接するように前記第１の収納室の一側に設置され、水を充填するための前記第１の水栓が連接される第２の収納室と、を含む。【選択図】図１
0003128863.tif 000002
【実用新案登録請求の範囲】
【請求項１】
第１の空気ノズルと第１の水栓とを具備した主体と、
前記主体内に位置し、気体を充填するための前記第１の空気ノズルが連接された第１の収納室と、
前記主体内に位置し、前記主体の表面に近接するように前記第１の収納室の一側に設置され、水を充填するための前記第１の水栓が連接された第２の収納室と、
を含むことを特徴とする、
冷暖両用装置。
【請求項２】
更に、前記主体の表面に近接するように前記第１の収納室のもう一側に設置され、前記主体内に位置する第３の収納室と、前記主体に位置し、前記第３の収納室に連接され、前記第３の収納室に対して水を充填する第２の水栓とを含むことを特徴とする、請求項１に記載の冷暖両用装置。
【請求項３】
更に、前記主体内の前記第１の収納室と前記第２の収納室の間に設置される第４の収納室と、前記主体に位置し、前記第４の収納室に連接され、前記第４の収納室に対して水を充填する第２の空気ノズルとを含むことを特徴とする、請求項１に記載の冷暖両用装置。
【請求項４】
前記第２の収納室内の水温度は、摂氏５度〜４５度であることを特徴とする、請求項１に記載の冷暖両用装置。
【請求項５】
前記第３の収納室内の水温度は、摂氏５度〜４５度であることを特徴とする、請求項２に記載の冷暖両用装置。
【請求項６】
前記第２の収納室内の水量は、前記第２の収納室の容積の５０％〜８０％であることを特徴とする、請求項１に記載の冷暖両用装置。
【請求項７】
前記第３の収納室内の水量は、前記第３の収納室の容積の５０％〜８０％であることを特徴とする、請求項２に記載の冷暖両用装置。
【請求項８】
前記第４の収納室内の気体は、前記第４の収納室の容積の３０％〜８０％であることを特徴とする、請求項３に記載の冷暖両用装置。
【請求項９】
前記第１の収納室内の気体は、前記第１の収納室の容積の３０％〜８０％であることを特徴とする、請求項１に記載の冷暖両用装置。
【請求項１０】
前記主体は、筒体や動物造型或いは多辺形であることを特徴とする、請求項１に記載の冷暖両用装置。
【請求項１１】
更に、前記主体に被覆するカバーがあることを特徴とする、請求項１、請求項２、請求項３の何れかの一つに記載の冷暖両用装置。
【請求項１２】
前記冷暖両用装置は、冷暖両用枕や冷暖両用パッドであることを特徴とする、請求項１に記載の冷暖両用装置。
【請求項１３】
前記第２の収納室は、前記第１の収納室を囲んで覆うように設置されることを特徴とする、請求項１に記載の冷暖両用装置。
【請求項１４】
前記第２の収納室は、前記第４の収納室を囲んで覆うように設置され、前記第４の収納室は、前記第１の収納室を囲んで覆うように設置されることを特徴とする、請求項３に記載の冷暖両用装置。
【請求項１５】
更に、前記第１の空気ノズルを介して前記第１の収納室に連接される空気ポンプが含有されることを特徴とする請求項１に記載の冷暖両用装置。
【考案の詳細な説明】
【技術分野】
【０００１】
本考案は、枕やパッドに適用される冷暖両用装置に関し、特に、温水や冷水、或いは気圧の容量を変更でき、そして、個人の需要に応じて気圧容量を調整でき、冬場は暖房として夏場には冷房としての効果が得られる冷暖両用装置に関するものである。
【背景技術】
【０００２】
一生において、１／３の時間が睡眠に費やされ、健康のためには、睡眠の品質を重要視しなければならなく、休息は、より遠い道を歩むためであると、よく言われている。
そのため、良質の睡眠は、多くの人から求められている。
良質の睡眠を得るため、例えば、暗さや静けさ等の良い環境の他に、良質の寝具が必要とされている。
また、歩く時や座る時、常に大小腰筋等のような腰や背の筋肉が使われて脊椎が真っ直ぐになり、横になる時だけ、腰や背部の筋肉を休めるチャンスが得られる。
そのため、良質の寝床により筋肉を徹底的に休めることができ、良い休息効果が得られる。
【０００３】
理想的な寝床は、数え切れない支持点を有するベッドであり、例えば、数え切れない手で、体の曲線に合わせて、均衡的に体を支えるようなものは、最も理想なベッドである。
【０００４】
「ウォーターベッド」は、上記の効果が最も得られるものである。シカゴ大学医学センターの実験によると、ウォーターベッドの最大の作用は、体全体を、水に浮くように、人体の自然曲線に沿って均衡的に支持でき、体の骨骼を平衡して筋肉の圧力を低減でき、また、より良い血液循環が得られるものであることが、証明された。
【０００５】
また、長期に臥床するものがウォーターベッドを使用すると、褥瘡の発生を低減できる。
そのため、ウォーターベッドは、最も快適な寝床であり、水により温度を伝達でき、また、加温設備により、寝床の恒温を保持できる。
そして、簡単に、寝床の硬度を変化できるため、老人や病気のため長期に臥床する人にとって、良い選択である。
しかしながら、ウォーターベッドを使用する時、大量の水を必要とする。大量の水を使用するため、水床の重さが膨大である。
また、簡単に水を交換できない。そして、水資源の浪費を来し、現在のエネルギー節約の環境保護の概念に反するといった問題がある。
【０００６】
ウォーターベッドの他に、類似する性質を有するものとしてエアベッドがある。
エアベッドは、エアパッドベッドとも称され、その特性が、ウォーターベッドに類似している。
設計が良いエアパッドベッドは、パッドの空気孔により空気を釈放して、通気性が向上されている。
また、空気ポンプにより何時でも空気圧力を補充できるエアベッドは、使用しない時に、捲いて収納することができ、収納空間を取らない利点がある。
しかしながら、エアベッドは、寝る時の感覚が不安定であり、さらに蒸暑い感じがする。そのために、従来のエアベッドは感触や実用性が比較的悪いという問題がある。
【０００７】
本考案は、上記の欠点を解消できる冷暖両用装置を提案するものである。
【考案の開示】
【考案が解決しようとする課題】
【０００８】
本考案の主な目的は、冷暖両用枕や冷暖両用パッドなどのような、気圧を調整可能で、冬場には暖房として、夏場には冷房としての効果が得られる冷暖両用装置を提供することにある。
【０００９】
本考案の他の目的は、ウォーターベッドの利点を有することにより、エアベッドの不安定感の欠点を解消し、また、エアベッドの特性により、ウォーターベッドが大量の水を使用する欠点を解消できる冷暖両用装置を提供することにある。
【００１０】
更に本考案の他の目的は、ウォーターベッドの利点を、マットレスや椅子用クッション、背もたれパッド、抱き枕及び枕に応用できる冷暖両用装置を提供することにある。
【課題を解決するための手段】
【００１１】
本考案は、第１の空気ノズルと第１の水栓とがある主体があり、前記主体内に、第１の収納室と第２の収納室が含有され、前記第２の収納室が、前記主体の表面に近接するように前記第１の収納室の一側に設置され、前記第１の収納室に、気体を充填するための前記第１の空気ノズルが連接され、また、前記第１の水栓が、前記第２の収納室に連接され、前記第２の収納室に対して水を充填する冷暖両用装置である。
【００１２】
本考案は、前記主体に、更に、第３の収納室が設けられ、前記第３の収納室が、前記主体の表面に近接するように前記第１の収納室のもう一側に設置され、前記第３の収納室に、前記主体に設けられた第２の水栓が連接され、前記第２の水栓により、前記第３の収納室に対して水を充填する冷暖両用装置である。
【００１３】
また、本考案は、前記主体に、更に、第４の収納室が設けられ、前記第４の収納室が、前記第１の収納室と前記第２の収納室との間に位置し、前記第４の収納室に、前記主体に設けられた第２の空気ノズルが連接され、前記第２の空気ノズルにより、前記第３の収納室に対して水を充填する冷暖両用装置である。
【００１４】
本考案に係わる冷暖両用装置は、冷暖両用床や冷暖両用パッドに適用でき、本考案は、ウォーターベッドの利点を生かして、エアベッドの欠点である不安定感を解消し、エアベッドの特性を生かして、ウォーターベッドが大量の水を使用する欠点を解消する。
また、ウォーターベッドの利点を、冷暖両用装置に生かすことにより、ユーザーは、より快適的に、マットレスや、椅子用クッション、背もたれパッド、抱き枕及び枕を使用できる。
【考案の効果】
【００１５】
本考案は、エアパッド部分によってマットレスを支持することにより、エアパッドベッドとウォーターベッドとの利点を両立できる。
さらに、従来の技術であるウォーターベッドと比較すると、水量を大幅に節約することができる。
【考案を実施するための最良の形態】
【００１６】
以下、図面を参照しながら、具体的な実施例を挙げて、本考案の目的や技術内容、特長及び効果について詳しく説明する。
本考案に係る冷暖両用装置は、冷暖両用枕や冷暖両用パッド等が含まれ、例えば、抱き枕や背もたれパッド、枕、椅子用クッション及びマットレス等である。
まず、本考案の実施例の一つについて説明する。
図１は、本考案に係る冷暖両用装置の構造概念図である。
本実施例は、図のように抱き枕を一例として説明する。
抱き枕は、その構造が一般の枕と同じため詳しい説明を省略する。
【００１７】
冷暖両用装置である抱き枕は、図１のような円筒体や動物造型或いは多辺形であり、上記の形状の変更や修正は、本考案の範囲内に含まれる。
上記の円筒体である主体１２は、その表面に第１の空気ノズル１４と水栓１８及び第２の空気ノズル１６がある。
前記主体１２の内部構造は、前記主体１２の表面から前記の中心に向かって順に、第２の収納室２０と第４の収納室２２及び第１の収納室２４が形成されている。
【００１８】
第１の収納室２４は、主体１２の中央に位置し、第１の空気ノズル１４が連接されている。
そのため、ユーザーは、第１の空気ノズル１４から、第１の収納室２４に対して、前記第１の収納室２４の容積の８０％〜９０％のように、気体を充填できる。
第１の収納室２４内に気体を満杯近くに充填できるため、第１の収納室２４は、抱き枕の主な支持軸心とすることができる。
【００１９】
第２の収納室２０は、前記主体１２の表面に近接するように前記主体１２内に位置する。第２の収納室２０には前記水栓１８が連接されている。
そのため、ユーザーは、前記水栓１８から、第２の収納室２０に対して、第２の収納室２０の容積の５０％〜８０％のように、水を充填できる。
第２の収納室２０に充填される水は、温水でも良いし、冷水でもよい。冷水の場合は、原則として凍っていない冷水であり、温水の場合は、原則として暖かい温水であり、水の温度範囲は、摂氏５度〜４５度である。
第４の収納室２２は、第１の収納室２４と第２の収納室２０の間に設置される。
第４の収納室２２には、第２の空気ノズル１６が連接される。
そのため、ユーザーは、第２の空気ノズル１６から、第４の収納室２２に対して、気体を充填できる。
第４の収納室２２に充填される気体の容積は、ユーザーによって決められる。例えば、より柔らかい抱き枕が欲しければ、気体を第２の空気ノズル１６から排出することができる。原則として、充填される気体は、第４の収納室２２の容積の３０％〜８０％である。
【００２０】
また、抱き枕をよりソフトで、且つ快適にするために、主体１２の外表面にカバーを着用しても良い。カバーの形状は、主体１２の形状に合わせて変化することができる。
【００２１】
つぎに本考案の他の実施例を説明する。
本実施例は、図２のように、冷暖両用装置はマットレスであって良いし、椅子用クッションであっても良い。
本実施例において例示したマットレスは、構造が椅子パッドと同じであるため、その詳しい説明については省略する。
【００２２】
冷暖両用装置がマットレスである場合、このマットレスは、図２のような３層を有するサンドイッチ構造であるか、或いは図３のような２層構造である。
図２と図３の差異は、図２の構造が図３の構造より１層多いことである。
本実例ではまず、図２について説明し、そして、図２の補足説明として図３について説明する。
また、パッドの形状は、特に制限されず、動物造型や多辺形等の形状であってもよいし、上記の形状を多少変更したり修正することができる。
【００２３】
図２に示した主体３２の構造について説明する。
上記した３層を有するサンドイッチ構造である主体３２は、その表面に空気ノズル３６と第１の水栓３４及び第２の水栓３８が設けられている。
前記主体３２の内部構造は、上から下へ順に、第２の収納室４０と第１の収納室４２及び第３の収納室４４を有する。
【００２４】
第１の収納室４２は、主体３２の中央に位置し、その一部に空気ノズル３６が連接されている。
そのため、ユーザーは、第１の空気ノズル３６から、第１の収納室４２に対して、ユーザーの必要に応じた量の気体を充填できる。
原則として、充填される気体の体積は、第１の収納室４２の容積の３０％〜８０％である。
【００２５】
第２の収納室４０は、前記主体３２の表面に近接するように、前記主体３２の前記第１の収納室４２の一側に設置されて、その一部に第１の水栓３４が連接されている。
そのため、ユーザーは、第１の水栓３４から、第２の収納室４０に対して、第２の収納室４０の容積の５０％〜８０％のように、水を充填できる。
第２の収納室４０に充填される水は、温水でも良いし、冷水でもよく、冷水の場合、原則として、凍っていない冷水であり、温水の場合、原則として、暖かい温水であり、水の温度範囲は、摂氏５度〜４５度である。
【００２６】
第３の収納室４４は、前記主体３２の表面に近接するように、第１の収納室４２のもう一側に設置されて、その一部に第２の水栓３８が連接されている
そのため、ユーザーは、第２の水栓３８から、第３の収納室４４に対して、第３の収納室４４の容積の５０％〜８０％のように、水を充填できる。
第３の収納室４４に充填される水は、温水でも良いし、冷水でもよく、冷水の場合、原則として、凍っていない冷水であり、温水の場合、原則として、暖かい温水であり、水の温度範囲は、摂氏５度〜４５度である。
【００２７】
つぎに図３に示した主体３２の構造について説明する。
単層の冷暖両用マットレスは、第１の収納室４２と第２の収納室４０が設けられる。第１の収納室４２は、主体３２の中央に位置し、空気ノズル３６が連接されている。
そのため、ユーザーは、第１の空気ノズル３６から、第１の収納室４２に対して、ユーザーの体型や体重に応じて気体を充填でき、原則として、気体の体積は、第１の収納室４２の容積の３０％〜８０％である。
【００２８】
第２の収納室４０は、前記主体３２の表面に近接するように、前記主体３２の前記第１の収納室４２の一側に設置され、その一部に第１の水栓３４が連接されている。
そのため、ユーザーは、第１の水栓３４から、第２の収納室４０に対して、第２の収納室４０の容積の５０％〜８０％のように、水を充填できる。
第２の収納室４０に充填される水は、温水でも良いし、冷水でもよく、冷水の場合、原則として、凍っていない冷水であり、温水の場合、原則として、暖かい温水であり、水の温度範囲は、摂氏５度〜４５度である。
【００２９】
また、マットレスをよりソフト且つ快適にするため、図２や図３の主体３２の外表面にカバーを着用しても良い。
カバーの形状は、主体３２の形状に合わせて変化することができる。
【００３０】
本考案は、エアパッド部分によりマットレスを支持することにより、エアパッドベッドとウォーターベッドとの利点を両立でき、従来の技術であるウォーターベッドと比較すると、水量を節約できる。
【００３１】
図４は冷暖両用装置が椅子用クッションである場合の他の実施例であって、既述したように水パッドとエアパッドとの利点を両立したものである。
本実施例における冷暖両用装置の基本構造は、図３の基本構造とほば同じであるが、空気ノズルの部分に、更に、空気ポンプ４８が連接されている
空気ポンプ４８により手動で加圧でき、また、余計な圧力を釈放できるようになっている。これにより、冷暖両用装置である椅子用クッション内を好適な圧力に調整することができる。
【００３２】
以上は本考案のより良い実施例について説明であるが、本考案はこれらの記載に制限されるものではない。当業者が行なう変更や修正は、全て本考案に含まれるものである。
【図面の簡単な説明】
【００３３】
【図１】本考案の一つの実施例である冷暖両用装置の構造概念図
【図２】本考案の他の実施例である冷暖両用装置の構造概念図
【図３】本考案の更に他の実施例である冷暖両用装置の構造概念図
【図４】本考案の更に他の実施例の概念図
【符号の説明】
【００３４】
１２    主体
１４    第１の空気ノズル
１６    水栓
１８    第２の空気ノズル
２０    第２の収納室
２２    第４の収納室
２４    第１の収納室
２６    カバー
３２    主体
３４    第１の水栓
３６    空気ノズル
３８    第２の水栓
４０    第２の収納室
４２    第１の収納室
４４    第３の収納室
４６    カバー
４８    空気ポンプ
【図１】
0003128863.tif 000003
【図２】
0003128863.tif 000004
【図３】
0003128863.tif 000005
【図４】
0003128863.tif 000006